(57)【特許請求の範囲】
【請求項１】
光送信器と光受信器が光ファイバ伝送路を介して通信する光通信システムであって、
前記光送信器は、
第１の周波数を発振周波数とする第１の局部発振信号を出力する第１の局部発振器と、
データ信号を利用して前記第１の局部発振信号を変調し変調信号を出力する変調器と、
前記光受信器が前記光送信器から受信した光信号を光電変換した電気信号の周波数が、前記光受信器が復調可能な周波数に位置するように選択される、第２の周波数を発振周波数とする第２の局部発振信号を出力する第２の局部発振器と、
前記変調信号及び前記第２の局部発振信号を合波し合波信号を出力する合波器と、
変調対象となる光の連続信号を出力する光源と、
前記合波信号を利用して前記変調対象となる光の連続信号をＳＳＢ（Ｓｉｎｇｌｅ Ｓｉｄｅ Ｂａｎｄ）変調し、ＳＳＢ変調信号を前記光受信器に送信するＳＳＢ変調器と、
を備え、
前記光受信器は、
前記ＳＳＢ変調信号を前記光送信器から受信し電気信号に変換する受光器と、
前記電気信号を復調し前記データ信号を出力する復調器と、
を備えることを特徴とする光通信システム。
【請求項２】
前記第２の周波数は、直流成分の周波数から前記第１の周波数に対して前記変調信号の周波数帯域の半幅を減算した周波数までの間、又は前記第１の周波数に対して前記変調信号の周波数帯域の半幅を加算した周波数から無限大の周波数までの間に位置することを特徴とする、請求項１に記載の光通信システム。
【請求項３】
光送信器と光受信器が光ファイバ伝送路を介して通信する光通信システムであって、
前記光送信器は、
第１の周波数を発振周波数とする第１の局部発振信号を出力する第１の局部発振器と、
データ信号を利用して前記第１の局部発振信号を変調し変調信号を出力する変調器と、
前記第１の周波数に前記変調信号の周波数帯域の半幅を加算した周波数、又は前記第１の周波数から前記変調信号の周波数帯域の半幅を減算した周波数である、第２の周波数を発振周波数とする第２の局部発振信号を出力する第２の局部発振器と、
前記変調信号及び前記第２の局部発振信号を合波し合波信号を出力する合波器と、
変調対象となる光の連続信号を出力する光源と、
前記合波信号を利用して前記変調対象となる光の連続信号をＳＳＢ（Ｓｉｎｇｌｅ Ｓｉｄｅ Ｂａｎｄ）変調し、ＳＳＢ変調信号を前記光受信器に送信するＳＳＢ変調器と、
を備え、
前記光受信器は、
前記ＳＳＢ変調信号を前記光送信器から受信し電気信号に変換する受光器と、
前記電気信号を復調し前記データ信号を出力する復調器と、
を備えることを特徴とする光通信システム。
【請求項４】
前記受光器は、直流成分の周波数から前記変調信号の周波数帯域の全幅以上の透過帯域を有することを特徴とする、請求項２又は請求項３に記載の光通信システム。
【請求項５】
光受信器と光ファイバ伝送路を介して通信する光送信器であって、
第１の周波数を発振周波数とする第１の局部発振信号を出力する第１の局部発振器と、
データ信号を利用して前記第１の局部発振信号を変調し変調信号を出力する変調器と、
前記光受信器が前記光送信器から受信した光信号を光電変換した電気信号の周波数が、前記光受信器が復調可能な周波数に位置するように選択される、第２の周波数を発振周波数とする第２の局部発振信号を出力する第２の局部発振器と、
前記変調信号及び前記第２の局部発振信号を合波し合波信号を出力する合波器と、
変調対象となる光の連続信号を出力する光源と、
前記合波信号を利用して前記変調対象となる光の連続信号をＳＳＢ（Ｓｉｎｇｌｅ Ｓｉｄｅ Ｂａｎｄ）変調し、ＳＳＢ変調信号を前記光受信器に送信するＳＳＢ変調器と、
を備えることを特徴とする光送信器。
【請求項６】
前記第２の周波数は、直流成分の周波数から前記第１の周波数に対して前記変調信号の周波数帯域の半幅を減算した周波数までの間、又は前記第１の周波数に対して前記変調信号の周波数帯域の半幅を加算した周波数から無限大の周波数までの間に位置することを特徴とする、請求項５に記載の光送信器。
【請求項７】
光受信器と光ファイバ伝送路を介して通信する光送信器であって、
第１の周波数を発振周波数とする第１の局部発振信号を出力する第１の局部発振器と、
データ信号を利用して前記第１の局部発振信号を変調し変調信号を出力する変調器と、
前記第１の周波数に前記変調信号の周波数帯域の半幅を加算した周波数、又は前記第１の周波数から前記変調信号の周波数帯域の半幅を減算した周波数である、第２の周波数を発振周波数とする第２の局部発振信号を出力する第２の局部発振器と、
前記変調信号及び前記第２の局部発振信号を合波し合波信号を出力する合波器と、
変調対象となる光の連続信号を出力する光源と、
前記合波信号を利用して前記変調対象となる光の連続信号をＳＳＢ（Ｓｉｎｇｌｅ Ｓｉｄｅ Ｂａｎｄ）変調し、ＳＳＢ変調信号を前記光受信器に送信するＳＳＢ変調器と、
を備えることを特徴とする光送信器。
【発明の詳細な説明】
【技術分野】
【０００１】
本発明は、光送信器と光受信器が光ファイバ伝送路を介して通信する光通信システムにおいて、部品のコストの増大及び信号の品質の劣化を防止する技術に関する。
【背景技術】
【０００２】
近年、多チャンネルの映像配信手法の一つとして、光ファイバを用いた光通信が用いられている。光通信において映像信号を変調する方式の一つに、所謂Ｆｒｅｑｕｅｎｃｙ  Ｍｏｄｕｌａｔｉｏｎ（ＦＭ）一括変調方式がある。ＦＭ一括変調方式では、周波数多重された多数のチャネルの映像信号を一括でＦＭ変調する。
【０００３】
ＦＭ一括変調を行う方式として、電気領域での位相変調器（Ｐｈａｓｅ  Ｍｏｄｕｌａｔｏｒ、ＰＭ）或いは電圧制御発振器（Ｖｏｌｔａｇｅ  Ｃｏｎｔｒｏｌ  Ｏｓｃｉｌｌａｔｏｒ、ＶＣＯ）を用いて行う方式と、光領域でのヘテロダイン検波を用いて行う方式（非特許文献１）が挙げられる。光領域でのヘテロダイン検波による方式では、電気信号を光信号に変換し、さらに光信号を電気信号に変換してＦＭ変調を行うため、変換のために必要な部品の点数が多く、また変換効率が悪いことが課題と考えられる。
【０００４】
他方、電気領域でのＰＭ或いはＶＣＯを用いてＦＭ一括変調を行う方式では、高速に動作し、かつ広帯域においてフラットな利得と直線性の高い位相特性を有した、ＰＭ或いはＶＣＯが必要であり、ＰＭ或いはＶＣＯにかかるコストが高いという課題がある。一般的にＦＭ一括変調された多チャネルの映像信号は、中心周波数３ＧＨｚ、帯域幅６ＧＨｚ程度であり非常に広帯域であり、利得及び位相特性に対する要求条件は非常に厳しい。
【０００５】
この要求条件を緩和させる方法として、ＦＭ一括変調の中心周波数を３ＧＨｚよりさらに高い周波数にする方法が挙げられる。たとえば、中心周波数を２０ＧＨｚ程度の高周波に設定すれば、中心周波数に対する変調帯域幅、所謂比帯域を小さくすることができ、広帯域性から生じる利得及び位相特性に対する要求条件を緩和することができる。
【先行技術文献】
【非特許文献】
【０００６】
【非特許文献１】菊島浩二他、“超広帯域ＦＭ一括変換型多チャンネルＡＭ／ＱＡＭ映像伝送装置”、電子情報通信学会技術研究報告、ＯＣＳ、光通信システム  ９７（１２９）、ｐｐ．３７−４２、１９９７年６月２３日．
【発明の概要】
【発明が解決しようとする課題】
【０００７】
しかしながら、このＦＭ一括変調信号を光伝送する場合、中心周波数がＦＭ復調可能な周波数から高周波にシフトしているために、光送信器で光変調する前、または光受信器でＦＭ復調する前には、中心周波数（２０ＧＨｚ）をもとの低周波側（３ＧＨｚ）にシフトする、周波数ダウンコンバートの機能が必要となる。
【０００８】
周波数ダウンコンバータは一般的に、局部発振器、周波数ミキサ及び低域通過フィルタ（Ｌｏｗ  Ｐａｓｓ  Ｆｉｌｔｅｒ、ＬＰＦ）から構成される。ＦＭ変調の際ＰＭ或いはＶＣＯにおいて利得及び位相特性に対する要求条件が厳しかったのと同様に、周波数ダウンコンバートにおいても扱う信号が広帯域となるために、周波数ミキサ及びＬＰＦにおいて周波数に対する利得の平坦性及び位相特性の直線性が求められる。
【０００９】
従来技術の光通信システムの構成を図１に示す。従来技術の光通信システムでは、光送信器１と光受信器２が光ファイバ伝送路３を介して通信する。光送信器１は、局部発振器１０、変調器１１、光源１２及び強度変調器１３から構成される。光受信器２は、受光器２０、局部発振器２１、周波数ミキサ２２、ＬＰＦ２３及び復調器２４から構成される。以下の説明では、ＦＭ一括変調に限定されない一般の変調について説明する。
【００１０】
局部発振器１０は、周波数ｆ１を発振周波数とする局部発振信号を出力する。変調器１１は、データ信号を利用して、周波数ｆ１を発振周波数とする局部発振信号を変調し、変調信号を出力する。光源１２は、変調対象となる光の連続信号（周波数ｆＬ）を出力する。強度変調器１３は、周波数ｆ１を発振周波数とする局部発振信号からの変調信号を利用して、変調対象となる光の連続信号を強度変調し、変調対象となる光の連続信号からの変調信号を光受信器２に送信する。
【００１１】
受光器２０は、変調対象となる光の連続信号からの変調信号を光送信器１から受信し、電気信号に変換する。局部発振器２１は、周波数ｆ１を発振周波数とする局部発振信号を出力する。周波数ミキサ２２は、局部発振器２１の出力した周波数ｆ１を発振周波数とする局部発振信号を利用して、受光器２０の出力した電気信号をダウンコンバートする。ＬＰＦ２３は、周波数ミキサ２２の出力した信号のうち、高周波側のイメージ周波数の成分を遮断し、低周波側のダウンコンバート周波数の成分を透過する。復調器２４は、ＬＰＦ２３の出力した信号を復調し、光送信器１に入力されたデータ信号を復元する。
【００１２】
従来技術の信号スペクトルを図２に示す。図２の上段左側は、図１のＡ点における、データ信号のスペクトルを示す。図２の上段右側は、図１のＢ点における、周波数ｆ１を発振周波数とする局部発振信号からの変調信号のスペクトルを示す。図２の中段は、図１のＣ点における、変調対象となる光の連続信号からの変調信号のスペクトルを示す。図２の下段左端は、図１のＤ点における、受光器２０の出力した電気信号のスペクトルを示す。図２の下段中央は、図１のＥ点における、ＬＰＦ２３の出力した信号のスペクトルを示す。図２の下段右端は、図１のＦ点における、データ信号のスペクトルを示す。
【００１３】
図１のＡ点におけるデータ信号は、０からｆＤまでの周波数成分を有する。図１のＢ点における周波数ｆ１を発振周波数とする局部発振信号からの変調信号は、周波数ｆ１を中心として、ｆ１−ｆＷからｆ１＋ｆＷまでの周波数成分を有する。ここで、周波数ｆＷは、周波数ｆ１を発振周波数とする局部発振信号からの変調信号の周波数帯域の半幅であり、ＦＭ一括変調においてはＦＭ変調度に従って変化する周波数である。
【００１４】
図１のＣ点における変調対象となる光の連続信号からの変調信号は、変調対象となる光の連続信号由来として、ｆＬの周波数成分を有し、上側側波帯として、ｆＬ＋ｆ１−ｆＷからｆＬ＋ｆ１＋ｆＷまでの周波数成分を有し、下側側波帯として、ｆＬ−ｆ１−ｆＷからｆＬ−ｆ１＋ｆＷまでの周波数成分を有する。
【００１５】
図１のＤ点における受光器２０の出力した電気信号は、周波数ｆ１を中心として、ｆ１−ｆＷからｆ１＋ｆＷまでの周波数成分を有する。図１のＥ点におけるＬＰＦ２３の出力した信号は、０から２ｆＷまでの周波数成分を有する。図１のＦ点におけるデータ信号は、０からｆＤまでの周波数成分を有しており、データ信号が復元されている。
【００１６】
図１及び図２を用いて説明した従来技術では、局部発振器２１、周波数ミキサ２２及びＬＰＦ２３から構成される周波数ダウンコンバータが、光受信器２又は光送信器１で必要になる。しかし、周波数ミキサ２２及びＬＰＦ２３において、周波数に対する利得の平坦性及び位相特性の直線性が求められる。ここで、周波数ミキサ２２及びＬＰＦ２３を高性能化するならば、部品のコストが増大し、特に光受信器２の回路構成が複雑になる。しかし、周波数ミキサ２２及びＬＰＦ２３を高性能化しなければ、信号の品質が劣化する。
【００１７】
そこで、前記課題を解決するために、本発明は、変調信号の中心周波数が復調可能な周波数から高周波にシフトしているときであっても、部品のコストの増大及び信号の品質の劣化を防止することを目的とする。
【課題を解決するための手段】
【００１８】
上記目的を達成するために、光送信器では、変調器からの変調信号及び局部発振器からの局部発振信号を合波して合波信号を生成し、合波信号を利用して変調対象となる光の連続信号をＳＳＢ（Ｓｉｎｇｌｅ  Ｓｉｄｅ  Ｂａｎｄ）変調する。ここで、ＳＳＢ変調信号は、変調対象となる光の連続信号に由来する周波数成分を抑圧され、合波信号に由来する周波数成分を残存される。つまり、局部発振器からの局部発振信号に由来する周波数成分が、光信号の搬送波として機能する。光受信器では、受光器での光電変換の処理速度は光信号の周波数と比較して遅いため、局部発振器からの局部発振信号の周波数を適切に選択すれば、受光器からの電気信号の周波数は復調可能な周波数に位置する。よって、送受信側で周波数ダウンコンバータが必要なくなる。
【００１９】
具体的には、本発明は、光送信器と光受信器が光ファイバ伝送路を介して通信する光通信システムであって、前記光送信器は、第１の周波数を発振周波数とする第１の局部発振信号を出力する第１の局部発振器と、データ信号を利用して前記第１の局部発振信号を変調し変調信号を出力する変調器と、第２の周波数を発振周波数とする第２の局部発振信号を出力する第２の局部発振器と、前記変調信号及び前記第２の局部発振信号を合波し合波信号を出力する合波器と、変調対象となる光の連続信号を出力する光源と、前記合波信号を利用して前記変調対象となる光の連続信号をＳＳＢ（Ｓｉｎｇｌｅ  Ｓｉｄｅ  Ｂａｎｄ）変調し、ＳＳＢ変調信号を前記光受信器に送信するＳＳＢ変調器と、を備え、前記光受信器は、前記ＳＳＢ変調信号を前記光送信器から受信し電気信号に変換する受光器と、前記電気信号を復調し前記データ信号を出力する復調器と、を備えることを特徴とする光通信システムである。
【００２０】
また、本発明は、光受信器と光ファイバ伝送路を介して通信する光送信器であって、第１の周波数を発振周波数とする第１の局部発振信号を出力する第１の局部発振器と、データ信号を利用して前記第１の局部発振信号を変調し変調信号を出力する変調器と、第２の周波数を発振周波数とする第２の局部発振信号を出力する第２の局部発振器と、前記変調信号及び前記第２の局部発振信号を合波し合波信号を出力する合波器と、変調対象となる光の連続信号を出力する光源と、前記合波信号を利用して前記変調対象となる光の連続信号をＳＳＢ（Ｓｉｎｇｌｅ  Ｓｉｄｅ  Ｂａｎｄ）変調し、ＳＳＢ変調信号を前記光受信器に送信するＳＳＢ変調器と、を備えることを特徴とする光送信器である。
【００２１】
この構成によれば、変調信号の中心周波数が復調可能な周波数から高周波にシフトしているときであっても、第２の局部発振器からの第２の局部発振信号の周波数を適切に選択すれば、送受信側で周波数ダウンコンバータが必要なくなり、部品のコストの増大及び信号の品質の劣化を防止することができる。
【００２２】
また、本発明は、前記第２の周波数は、直流成分の周波数から前記第１の周波数に対して前記変調信号の周波数帯域の半幅を減算した周波数までの間、又は前記第１の周波数に対して前記変調信号の周波数帯域の半幅を加算した周波数から無限大の周波数までの間に位置することを特徴とする光通信システムである。
【００２３】
また、本発明は、前記第２の周波数は、直流成分の周波数から前記第１の周波数に対して前記変調信号の周波数帯域の半幅を減算した周波数までの間、又は前記第１の周波数に対して前記変調信号の周波数帯域の半幅を加算した周波数から無限大の周波数までの間に位置することを特徴とする光送信器である。
【００２４】
この構成によれば、受光器からの電気信号の周波数を、確実に元々のデータ信号を復調するのに十分な帯域とすることができる。
【００２５】
また、本発明は、前記第２の周波数は、前記第１の周波数に前記変調信号の周波数帯域の半幅を加算した周波数、又は前記第１の周波数から前記変調信号の周波数帯域の半幅を減算した周波数であることを特徴とする光通信システムである。
【００２６】
また、本発明は、前記第２の周波数は、前記第１の周波数に前記変調信号の周波数帯域の半幅を加算した周波数、又は前記第１の周波数から前記変調信号の周波数帯域の半幅を減算した周波数であることを特徴とする光送信器である。
【００２７】
この構成によれば、受光器からの電気信号の周波数は、直流成分の周波数から変調信号の周波数帯域の全幅までに分布するため、確実に復調可能な周波数に位置するとともに、確実に元々のデータ信号を復調するのに十分な帯域となる。
【００２８】
また、本発明は、前記受光器は、直流成分の周波数から前記変調信号の周波数帯域の全幅以上の透過帯域を有することを特徴とする光通信システムである。
【００２９】
この構成によれば、受光器からの電気信号の周波数は、より確実に直流成分の周波数から変調信号の周波数帯域の全幅までに分布する。
【発明の効果】
【００３０】
本発明は、変調信号の中心周波数が復調可能な周波数から高周波にシフトしているときであっても、部品のコストの増大及び信号の品質の劣化を防止することができる。
【図面の簡単な説明】
【００３１】
【図１】従来技術の光通信システムの構成を示す図である。
【図２】従来技術の信号スペクトルを示す図である。
【図３】本願発明の光通信システムの構成を示す図である。
【図４】本願発明の信号スペクトルを示す図である。
【発明を実施するための形態】
【００３２】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３３】
本願発明の光通信システムの構成を図３に示す。本願発明の光通信システムでは、光送信器１と光受信器２が光ファイバ伝送路３を介して通信する。光送信器１は、局部発振器１０、変調器１１、光源１２、局部発振器１４、合波器１５、９０度移相器１６及びネスト型マッハツェンダー型変調器１７から構成される。光受信器２は、受光器２０及び復調器２４から構成され、局部発振器２１、周波数ミキサ２２及びＬＰＦ２３を含まない。以下の説明では、ＦＭ一括変調に限定されない一般の変調について説明する。
【００３４】
局部発振器１０は、周波数ｆ１を発振周波数とする局部発振信号を出力する。変調器１１は、データ信号を利用して、周波数ｆ１を発振周波数とする局部発振信号を変調し、変調信号を出力する。局部発振器１４は、周波数ｆ２を発振周波数とする局部発振信号を出力する。合波器１５は、変調器１１の出力した変調信号及び局部発振器１４の出力した局部発振信号を合波し、合波信号を出力する。光源１２は、変調対象となる光の連続信号（周波数ｆＬ）を出力する。
【００３５】
９０度移相器１６及びネスト型マッハツェンダー型変調器１７は、合わせてＳＳＢ変調器として機能し、合波器１５の出力した合波信号を利用して、変調対象となる光の連続信号をＳＳＢ変調し、変調対象となる光の連続信号からのＳＳＢ変調信号を光受信器２に送信する。ここで、ＳＳＢ変調器として、９０度移相器１６及びネスト型マッハツェンダー型変調器１７以外の装置を利用することもできる。
【００３６】
受光器２０は、変調対象となる光の連続信号からのＳＳＢ変調信号を光送信器１から受信し、電気信号に変換する。復調器２４は、受光器２１の出力した電気信号を復調し、光送信器１に入力されたデータ信号を復元する。上述したように、光受信器２は、局部発振器２１、周波数ミキサ２２及びＬＰＦ２３を含まない。
【００３７】
本願発明の信号スペクトルを図４に示す。図４の上段左端は、図３のＧ点における、データ信号のスペクトルを示す。図４の上段中央は、図３のＨ点における、周波数ｆ１を発振周波数とする局部発振信号からの変調信号のスペクトルを示す。図４の上段右端は、図３のＩ点における、合波器１５の出力した合波信号のスペクトルを示す。図４の中段は、図３のＪ点における、変調対象となる光の連続信号からのＳＳＢ変調信号のスペクトルを示す。図４の下段左側は、図３のＫ点における、受光器２０の出力した電気信号のスペクトルを示す。図４の下段右側は、図３のＬ点における、データ信号のスペクトルを示す。
【００３８】
図３のＧ点におけるデータ信号は、０からｆＤまでの周波数成分を有する。図３のＨ点における周波数ｆ１を発振周波数とする局部発振信号からの変調信号は、周波数ｆ１を中心として、ｆ１−ｆＷからｆ１＋ｆＷまでの周波数成分を有する。ここで、周波数ｆＷは、周波数ｆ１を発振周波数とする局部発振信号からの変調信号の周波数帯域の半幅であり、ＦＭ一括変調においてはＦＭ変調度に従って変化する周波数である。
【００３９】
図３のＩ点における合波器１５の出力した合波信号は、周波数ｆ１を中心として、ｆ１−ｆＷからｆ１＋ｆＷまでの周波数成分を有する。そして、ｆ２＝ｆ１−ｆＷの周波数成分をさらに有する。ただし、ｆ２＝ｆ１−ｆＷの周波数成分をさらに有することに代えて、ｆ２＝ｆ１＋ｆＷの周波数成分をさらに有してもよい。
【００４０】
図３のＪ点における変調対象となる光の連続信号からのＳＳＢ変調信号は、変調対象となる光の連続信号由来として、ｆＬの周波数成分を有さない。そして、上側側波帯として、ｆＬ＋ｆ１−ｆＷからｆＬ＋ｆ１＋ｆＷまでの周波数成分を有し、周波数ｆ２を発振周波数とする局部発振信号由来として、ｆＬ＋ｆ１−ｆＷの周波数成分を有する。ただし、上側側波帯として、ｆＬ＋ｆ１−ｆＷからｆＬ＋ｆ１＋ｆＷまでの周波数成分を有し、周波数ｆ２を発振周波数とする局部発振信号由来として、ｆＬ＋ｆ１−ｆＷの周波数成分を有することに代えて、下側側波帯として、ｆＬ−ｆ１−ｆＷからｆＬ−ｆ１＋ｆＷまでの周波数成分を有し、周波数ｆ２を発振周波数とする局部発振信号由来として、ｆＬ−ｆ１＋ｆＷの周波数成分を有してもよい。このように、変調対象となる光の連続信号に由来する周波数成分ｆＬが光信号の搬送波として機能するのではなく、周波数ｆ２を発振周波数とする局部発振信号に由来する周波数成分ｆＬ＋ｆ１−ｆＷ又はｆＬ−ｆ１＋ｆＷが光信号の搬送波として機能する。
【００４１】
図３のＫ点における受光器２０の出力した電気信号は、０から２ｆＷまでの周波数成分を有する。図３のＬ点におけるデータ信号は、０からｆＤまでの周波数成分を有しており、データ信号が復元されている。このように、光受信器２では、受光器２０での光電変換の処理速度は、光信号の周波数と比較して遅いため、受光器２０からの電気信号の周波数は、０から２ｆＷまでの復調可能な周波数に位置する。
【００４２】
このように、局部発振器１４からの局部発振信号の周波数を、変調器１１からの変調信号の周波数帯域の一端に位置させたうえで、ＳＳＢ変調器がＳＳＢ変調し、受光器２０が光電変換することにより、図１の周波数ミキサ２２が周波数ダウンコンバートすることと同様の効果を得られる。そして、ＳＳＢ変調器がＳＳＢ変調することにより、図１のＬＰＦ２３が高周波側のイメージ周波数の成分を遮断し、低周波側のダウンコンバート周波数の成分を透過することと同様の効果を得られる。よって、変調信号の中心周波数が復調可能な周波数から高周波にシフトしているときであっても、送受信側で周波数ダウンコンバータが必要なくなり、部品のコストの増大及び信号の品質の劣化を防止することができる。
【００４３】
以上の実施形態では、局部発振器１４からの局部発振信号の周波数を、変調器１１からの変調信号の周波数帯域の一端に位置させていた。しかし、局部発振器１４からの局部発振信号の周波数を、任意の周波数に設定してもよい。つまり、０〜ｆ１−ｆＷ〜ｆ１の範囲にｆ２を位置させてもよく、ｆ１〜ｆ１＋ｆＷ〜∞の範囲にｆ２を位置させてもよい。ここで、無限大の周波数とは、ｆ１＋ｆＷ以上である任意の周波数を意味する。または、局部発振器１４からの局部発振信号の周波数を、変調器１１からの変調信号の周波数帯域の近傍に位置させてもよい。例えば、ｆ１−２ｆＷ〜ｆ１−ｆＷ〜ｆ１の範囲にｆ２を位置させてもよく、ｆ１〜ｆ１＋ｆＷ〜ｆ１＋２ｆＷの範囲にｆ２を位置させてもよい。
【００４４】
ただし、０〜ｆ１−ｆＷの範囲又はｆ１＋ｆＷ〜∞の範囲にｆ２を位置させるときには、受光器２０からの電気信号の周波数は、復調可能な周波数に必ずしも位置せず、周波数ダウンコンバータが必要となる可能性がある。そして、ｆ１−ｆＷ〜ｆ１の範囲又はｆ１〜ｆ１＋ｆＷの範囲にｆ２を位置させるときには、受光器２０からの電気信号の周波数は、元々のデータ信号を復調するのに十分な帯域とならない可能性がある。
【００４５】
そこで、ｆ１−ｆＷ又はｆ１＋ｆＷにｆ２を一致させることにより、受光器２０からの電気信号の周波数は、０から２ｆＷまでに分布するため、確実に復調可能な周波数に位置するとともに、確実に元々のデータ信号を復調するのに十分な帯域となる。さらに、受光器２０の透過帯域を０から２ｆＷ以上とすることにより、受光器２０からの電気信号の周波数は、より確実に０から２ｆＷまでに分布する。
【産業上の利用可能性】
【００４６】
本発明に係る光通信システム及び光送信器は、ＦＭ一括変調に限定されない一般の変調を利用した光通信技術に適用することができる。
【符号の説明】
【００４７】
１：光送信器
２：光受信器
３：光ファイバ伝送路
１０：局部発振器
１１：変調器
１２：光源
１３：強度変調器
１４：局部発振器
１５：合波器
１６：９０度移相器
１７：ネスト型マッハツェンダー型変調器
２０：受光器
２１：局部発振器
２２：周波数ミキサ
２３：ＬＰＦ
２４：復調器
【図１】
0005579656.tif 000002
【図２】
0005579656.tif 000003
【図３】
0005579656.tif 000004
【図４】
0005579656.tif 000005